(57)【要約】      （修正有）【課題】要介護者が自力にて転倒することなく安全且つ容易に各室内、健常者用トイレ、浴室の利用等、広範囲に室内間を移動することが可能、かつ安全である構造，吊り下げ手法，並びにロック機構を提供する。【解決手段】歩行用であり要介護者を吊り下げ、移動可能な可動ハンガー用ガイドレールや、固定型ハンガー用ガイドレールの外周にセットする１箇所以上の回転体を有する着脱可能なハンガータイプである可動器具（可動ハンガー）を設け、可動ハンガーの着脱用握り部４７と回転体４６の間に着脱防止部４８を配設し、スライドピン４９を可動ハンガー用ガイドレール４５の下部にセット可能とした。又、可動ハンガーのロック機能や、可動ハンガー用ガイドレールのロック機能を配設した。【選択図】図２
2019055167.tif 000002
【特許請求の範囲】
【請求項１】
ワンフロアーの対向する壁面上部である天井付近に設置された一対のガイドレールと、前記一対のガイドレールに垂直に交わる方向へセットした可動ハンガー用ガイドレールと、前記可動ハンガー用ガイドレール長手方向に移動可能にセットされた可動ハンガーとを有する介護リハビリ住宅システムに於いて、
前記可動ハンガーは前記可動ハンガー用ガイドレールに対して着脱可能にセットされており、かつ、着脱ロック機能を備えたことを特徴とする介護リハビリ住宅システム。
【請求項２】
請求項１に記載の介護リハビリ住宅システムに於いて、前記ガイドレール長手方向に対して可動ハンガー用ガイドレールが前後可動にセットされており
要介護者が３６０度方向に移動可能となることを特徴とする介護リハビリ住宅システム。
【請求項３】
請求項１又は請求項２に記載の介護リハビリ住宅システムに於いて、
可動ハンガー用ガイドレールの可動方向移動位置へのロック機能を設けた介護リハビリ住宅システム。
【請求項４】
請求項３に記載の介護リハビリ住宅システムに於いて、
要介護者が移動する時、要介護者の意志によって前記ロック機能を解除することができるロック機能解除手段を設けたことを特徴とする介護リハビリ住宅システム。
【請求項５】
ワンフロアーの対向する壁面上部である天井付近に設置された一対のガイド用レールと、前記一対のガイド用レールに垂直に交わる方向へセットした可動ハンガー用ガイドレールと、前記可動ハンガー用ガイドレール長手方向に移動可能にセットされた可動ハンガーとを有する介護リハビリ住宅システムに於いて、
一対のガイドレール下部へ可動ハンガー用ガイドレールを吊り下げたことを特徴とする介護リハビリ住宅システム。
【請求項６】
ワンフロアーの対向する壁面上部である天井付近に設置された一対のガイドレールと、前記一対のガイドレールに垂直に交わる方向へセットした可動ハンガー用ガイドレールと、前記可動ハンガー用ガイドレール長手方向に移動可能にセットされた可動ハンガーとを有する介護リハビリ住宅システムに於いて、
前記可動ハンガーに可動方向移動位置へのロック機能を設けた可動ハンガー。
【発明の詳細な説明】
【技術分野】
【０００１】  本発明は、主に介護やリハビリを可能とする住宅や老人ホーム、病院等施設の１以上の空間に用いられ、要介護者がセットされたスパン内を自力にて一方向の単純移動ではなく広範囲に移動可能な着脱式吊り下げ手法の着脱防止機能。可動に対するロック機能。部屋から隣接する部屋へ移動する事が可能である構造の着脱式、及び、固定式吊り下げ構造、及び手法に関する。
【背景技術】
【０００２】  図１の従来例可動ハンガー１０は、可動ハンガー用ガイド梁１５の外周に回転体を有するハテナマーク形状のフレーム１１が配設されている。フレーム１１はハテナマーク形状としたことにより、荷重のない状態にて着脱用握り部１７を握り、上部へ持ち上げての着脱が可能となり、連続性のない別スパンの可動ハンガー用ガイド梁１５への移動が容易である効果を発揮する事ができた。また、ハテナマーク形状のフレーム１１の上部、左右３箇所に回転体１２，１３，１４を、また、着脱用握り部１７の下部に回転体１６を配設することで、鉛直や水平方向荷重、及びねじれ等のバランスが取れ、要介護者が荷重をかけた自力歩行に於いて、可動ハンガー用ガイド梁軸方向への可動がスムーズとなる効果を発揮していた。（特許文献１参照）
【先行技術文献】
【特許文献】
【０００３】
【特許文献１】特願２０１２−０３１０８７
【発明の概要】
【発明が解決しようとする課題】
【０００４】  従来例の介護やリハビリ用建築物には、要介護者の移動手段として柱梁にて支持されたガイド梁のスパン内を移動可能な着脱式可動ハンガーをセットした可動ハンガー用ガイド梁が配設されていた。従来の構造、及び手法（  特許文献１参照  ）では着脱式可動ハンガーに外れ防止機能は無く、簡単に可動ハンガー用ガイド梁より外れることによる転倒の危険性が生じた。又、可動ハンガーや可動ハンガー用ガイド梁に可動に対するロック機能が無い為、ベッド、椅子や便器より立ち上がる時斜め方向の力が働き水平方向へ滑り、立上りにくい難しい大きな問題があった。【０００５】  本発明は、このような不具合を解消する為になされたものであり、要介護者が自力歩行にて転倒することなく安全且つ容易に各室内、健常者用トイレ、浴室の利用等、広範囲に室内間を移動する事も可能である事が特徴である構造、吊り下げ手法及び着脱防止機能並びにロック機能による安全の提供を目的とするものである。
【課題を解決するための手段】
【０００６】  上記不具合を解決するために、本発明は次のような構成としている。
請求項１に記載した吊り下げ構造、及び手法は対向する壁面上部の位置に水平配設されたガイドレール７９を設け、前記ガイドレール７９へ垂直に交わる可動ハンガー用ガイドレール４５にセットする歩行用であり要介護者を吊り下げる可動器具（可動ハンガー４０）の回転体４４と回転体４６の間に着脱防止部４８を配設する事により、可動ハンガー４０が可動ハンガー用ガイドレール４５より容易に外れない構造とした。図２にて着脱防止部の一例をさらに説明する。図２の着脱防止部４８はスライドピン４９、スライドピン操作部５０、スプリング５１、スプリング収納部５２より構成されている。着脱防止部４８のスプリング収納部５２にセットされたスプリング５１によりスライドピン４９は可動ハンガー用ガイドレール４５下部へ押し出された状態にある為、可動ハンガー４０は可動ハンガー用ガイドレールより外れる事はない。外す時はスライドピン操作部５０を可動ハンガー用ガイドレール４５より離れる方向へスライドすることにより、スライドピン４９の先端と可動ハンガー用ガイドレール４５の間隔が広がり外すことが可能となった為、対向する壁面上部の位置に水平配設されたガイドレール７９の範囲内を
安全且つ広範囲に移動する事が可能となった。機械構造で説明したが電子構造
でもよい。要介護者を吊り下げる可動器具（可動ハンガー４０）は、固定又は移動可能なレールの外周にセットし着脱可能な少なくとも１の回転体を有する。【０００７】  請求項２に記載したガイドレール方向に対して可動ハンガー用ガイドレールが前後可動にセットされており要介護者が３６０度方向に移動可能となることを特徴とする介護リハビリ住宅システムは、対向する壁面上部の位置に水平配設されたガイドレール７９を設け、前記ガイドレール７９へ垂直に交わる可動ハンガー用ガイドレール４５をセットし、可動ハンガー用ガイドレール４５の外周に着脱用握り部１７と吊り具５３の間に回転体１６を有する可動ハンガー４０を配設した。可動ハンガー用ガイドレール４５は固定レールとガイドレール７９の長手方向に可動する可動レールがあり、可動レール使用時は要介護者が３６０度方向に移動可能となる。【０００８】  請求項３に記載した可動ハンガー用ガイドレールの可動方向へのロック機能を設けた可動ハンガー用ガイドレールのロック機能９０は可動ハンガー用ガイドレール４５及びガイドレール７９、可動ハンガー４０に配設する。図３、図４にて可動ハンガー用ガイドレールの可動方向へのロック機能の一例をさらに説明する。
図３の本発明可動ハンガー用ガイドレール４５のロック機能９０はスライドピン７１、スライドピン内臓部７５、スライドピン７１とリング７３の接続ワイヤー７２、リング６３、リング６３と吊り具ハンドルとの接続ワイヤー７６、ピンのロック部７８、より構成されている。ピンのロック部７８はスライドピン７１の落ち込む凹部７７を狭いピッチで連続して保有している。ピン７１の負荷無い状態に於いてはピン７１の自重により各凹部７７に落ち込みロックされている為、可動ハンガー４０は固定し可動しない。
ピン７１の負荷無い状態に於いては、ピン７１を支点に吊り具５３を鉛直方向ではなく斜め方向に負荷を与えても可動ハンガー用ガイドレール４５は可動しない。よって斜め方向に負荷を与えるベッド、車椅子、便座等よりの移動時もより楽に且つ安全に行うことが可能となる効果を得た。
他の一例を図４にてさらに説明する。図４は可動ハンガー用ガイドレール４５をガイドレール７９の下部に設定した本発明可動ハンガー用ガイドレール４５のロック機能である。可動ハンガー用ガイドレール４５の可動方向へのロック機能は可動ハンガー用ガイドレール４５及びガイドレール７９、可動ハンガー４０、可動ハンガー用ガイドレール用吊金物１１０に配設する。図４の本発明可動ハンガー用ガイドレール４５のロック機能はスライドピン８１、スライドピン内臓部８５、スライドピン８１とリング８３の接続ワイヤー８２、リング８３、リング６３と吊り具５３のハンドルとの接続ワイヤー８６、スライドピン８１のロック部８８、より構成されている。スライドピン８１のロック部８８にはスライドピン８１の落ち込む凹部８７を狭いピッチで連続して保有している。スライドピン８１の負荷無い状態に於いてはスライドピン８１の自重により各凹部８７に落ち込みロックされている為、可動ハンガー用ガイドレール４５は固定し可動しない。スライドピン８１の負荷無い状態に於いては、スライドピン８１を支点に吊り具５３を鉛直方向ではなく斜め方向に負荷を与えても可動ハンガー用ガイドレール４５は可動しない。機械構造で説明したが電子構造でも良い。よって斜め方向に負荷を与えるベッド、車椅子、便座等よりの移動時もより楽に且つ安全に行うことが可能となる効果を得た。【０００９】  請求項４に記載した本発明要介護者が移動する時、要介護者の意志によって前記ロック機能を解除することができるロック機能解除手段を設けたことを特徴とする介護リハビリ住宅システムについて、図２にて可動ハンガーのロック機能解除手段の一例を説明する。移動する時は吊り具５３にセットされたリングと可動ハンガー４０のリング６３との接続ワイヤー６６に下方向へ負荷を与えると、リング６３、接続ワイヤー６２が吊り具５３の方向へ引き込まれ、スライドピン６１はピンのロック部６８より浮き上がり可動ハンガーのロック機能６０は解除され、歩行移動が可能となる。機械構造で説明したが電子構造でも良い。図３にて可動ハンガー用ガイドレールの可動方向へのロック機能解除手段の一例をさらに説明する。移動する時は吊り具５３にセットされたリングと可動ハンガー４０のリング６３との接続ワイヤー７６に下方向へ負荷を与えると、リング７３、接続ワイヤー７２が吊り具５３の方向へ引き込まれ、スライドピン７１はピンのロック部７８より浮き上がり可動ハンガー用ガイドレール４５のロック機能９０は解除され、歩行移動が可能となる。図４にて可動ハンガー用ガイドレールの可動方向へのロック機能解除手段の一例をさらに説明する。
移動する時は吊り具５３にセットされたリングと可動ハンガー４０のリング６３との接続ワイヤー８６に下方向へ負荷を与えると、リング８３、接続ワイヤー８２が吊り具５３の方向へ引き込まれ、スライドピン８１はピンのロック部８８より浮き上がり可動ハンガーのロック機能は解除され、歩行移動が可能となる。機械構造で説明したが電子構造でも良い。よってベッド、車椅子、便座等よりの移動時もより楽に且つ安全に行うことが可能となる効果を得た。【００１０】    請求項５に記載した本発明ガイドレール７９の下部へ設ける可動ハンガー用ガイドレール４５の吊り下げ構造１００は、ガイドレール７９の上部に可動ハンガー用ガイドレール吊金物１１０を配設し、ガイドレール７９下部の吊金物１１０の位置に可動ハンガー用ガイドレール４５を設けた。図５にてガイドレール７９の下部へ設ける可動ハンガー用ガイドレール４５の吊り下げ構造１００の一例をさらに説明する。可動ハンガー用ガイドレール用吊金物１１０のガイドレール７９より上部へ回転体１２１を設け、ガイドレール７９の上部にレール１２０を配設し、ガイドレール７９の軸方向への可動を可能とした。
可動ハンガー４０の上部回転体４２とガイドレール７９と間や、回転体４３と可動ハンガー用ガイドレール用吊金物１１０との間に隙間を設定することにより、可動ハンガー４０はガイドレール７９と可動ハンガー用ガイドレール用吊金物１１０に接することなく可動ハンガー用ガイドレール４５にセットした状態にてガイドレール７９の下部を通過し、可動ハンガー４０を脱着することなく次スパンや次室への移動が可能となる効果を得た。【００１１】請求項６に記載した可動方向へのロック機能を設けた可動ハンガーはフレーム４１及び可動ハンガー用ガイドレール４５に配設する。図２にて可動ハンガーのロック機能の一例をさらに説明する。
図２の可動ハンガーのロック機能６０はスライドピン６１、スライドピン内臓部６５、スライドピン６１とリング６３の接続ワイヤー６２、リング６３、リング６３と吊り具５３のハンドルとの接続ワイヤー６６、ピンのロック部６８、より構成されている。
ピンのロック部６８にはスライドピン６１の落ち込む凹部６７を狭いピッチで連続して保有している。ピン６１の負荷無い状態に於いてはピン６１の自重により各凹部６７に落ち込みロックされている為、可動ハンガー４０は固定し可動しない。スライドピン６１の負荷無い状態に於いては、スライドピン６１を支点に吊り具５３を鉛直方向ではなく斜め方向に負荷を与えても可動ハンガーは可動しない。機械構造で説明したが電子構造でも良い。
よって斜め方向に負荷を与えるベッド、車椅子、便座等よりの移動時もより楽に且つ安全に行うことが可能となる効果を得た。
【発明の効果】
【００１２】  以上説明したように本発明の構造システム、及び吊り下げ手法により、より安全に要介護者が介助なしに自力歩行にて転倒することなく容易に各室内、健常者用トイレ、浴室の利用等、広範囲の室内間を移動する事も可能となる効果を発揮する事ができた。
【図面の簡単な説明】
【００１３】
【図１】図１は従来例の可動ハンガー斜視図
【図２】図２は本発明の可動ハンガーロック機能の斜視図
【図３】図３は本発明可動ハンガー用ガイドレール４５ロック機能の斜視図
【図４】図４は本発明可動ハンガー用ガイドレール４５ロック機能の斜視図及び本発明ガイドレール７９下部へ設ける可動ハンガー用ガイドレール４５の吊り下げ構造の斜視図
【図５】図５は本発明ガイドレール７９下部へ設ける可動ハンガー用ガイドレール４５の吊り下げ構造の正面図
【発明を実施するための形態】
【００１４】  対向する壁面上部の位置へ水平に設定されたガイドレール７９間に垂直に交わる歩行用であり要介護者を吊り下げる可動器具（可動ハンガー４０）をセットした移動可能なレール（可動ハンガー用ガイドレール４５）を配設した。又可動ハンガー用ガイドレール用吊金物１１０に回転体１２１を設けた。他のスパンや居室への移動を可能とする為、要介護者を吊り下げる可動器具（可動ハンガー４０）は移動可能なレール（可動ハンガー用ガイドレール４５）の外周にセットする着脱可能な少なくとも１以上の支持であるハンガータイプとしている。又、可動ハンガーの着脱ロック機能並びに可動ハンガーや可動ハンガー用ガイドレール４５や可動ハンガー用ガイドレール用吊金物１１０に可動方向移動位置へのロック機能の１以上を配設した。
【００１５】  本発明の実施例について、図面を参照して説明する。図２、図３、図４、図５は本発明の可動ハンガーの斜視図。
【００１６】  図３、図４、図５で示すように、本発明の吊り下げ手法の可動ハンガー用ガイドレール４５の長手方向へ移動可能な可動ハンガー４０は、ガイドレール７９の長手方向へ移動可能な可動ハンガー用ガイドレール４５の外周にセットし、回転体を有するフレーム４１が配設されている。フレーム４１はハテナマーク形状としたことにより、荷重のない状態にて着脱用握り部４７を握り、上部へ持ち上げての着脱が可能となり、連続性のない別スパンの可動ハンガー用ガイドレール４５への移動が容易となる効果を発揮する事ができた。可動ハンガーの着脱ロック機能並びに可動ハンガー、可動ハンガー用ガイドレール４５、可動ハンガー用ガイドレール用吊金物１１０に可動方向移動位置へのロック機能を配設した。よって斜め方向に負荷を与えるベッド、車椅子、便座等よりの移動時も支点がロックされる為、より楽に且つ安全に行うことが可能となる効果を得た。レールは建築の梁でもよい。又、可動ハンガーのフレームはハテナマーク形状であるが、ガイドレールの両サイドにセットする形状でも良い。
又、可動ハンガー用ガイドレール吊金物１１０を配設し、ガイドレール７９下部へ可動ハンガー用ガイドレール４５を設定することにより可動ハンガー４０を着脱することなく容易かつ安全に他のスパンや各室内、健常者用トイレ、浴室の利用等、広範囲の室内間を移動する事も可能となる効果を発揮する事ができた。
レールは建築の梁でもよい。又、可動ハンガーのフレームはハテナマーク形状であるが、ガイドレールの両サイドにセットする形状でも良い。
詳細は［  ０００６  ］  ［  ０００７  ］  ［  ０００８  ］  ［  ０００９  ］  ［  ００１０  ］  ［  ００１１  ］に記す。
【符号の説明】
【００１７】  １０      従来例可動ハンガー
１１      フレーム
１２      回転体
１３      回転体
１４      回転体
１５      可動ハンガー用ガイド梁
１６      回転体
１７      着脱用握り部
４０      可動ハンガー
４１      フレーム
４２      回転体
４３      回転体
４４      回転体
４５      可動ハンガー用ガイドレール
４６      回転体
４７      着脱用握り部
４８      着脱防止部
４９      スライドピン
５０      スライドピン操作部
５１      スプリング
５２      スプリング収納部
５３      吊り具
６０      本発明可動ハンガーロック機能
６１      スライドピン
６２      スライドピン６１とリング６３の接続ワイヤー
６３      リング
６５      スライドピン内臓部
６６      リング６３と吊り具５３のハンドルとの接続ワイヤー
６７      スライドピン６１の落ち込む凹部
６８      ピンのロック部
７１      スライドピン
７２      スライドピン７１とリング７３の接続ワイヤー
７３      リング
７４      リング６３内を貫通させ可動ハンガー用ガイドレール両端にセットされたリ            ング７３を結ぶワイヤー
７５      スライドピン内臓部
７６      リング６３と吊り具部ハンドルとの接続ワイヤー
７７      スライドピン７１の落ち込む凹部
７８      ピンのロック部
７９      ガイドレール
８１      スライドピン
８２      スライドピン８１とリング８３の接続ワイヤー
８３      リング
８４      リング６３内を貫通させ可動ハンガー用ガイドレール両端にセットされたリ            ング８３を結ぶワイヤー
８５      スライドピン内臓部
８６      リング６３と吊り具５３のハンドルとの接続ワイヤー
８７      スライドピン８１の落ち込む凹部
８８      ピンのロック部
９０      本発明可動ハンガー用ガイドレール４５のロック機能
１００      本発明ガイドレール７９下部へ設ける可動ハンガー用ガイドレール４５の吊            り下げ構造
１１０      可動ハンガー用ガイドレール用吊金物
１２０      レール
１２１      回転体
【図１】
2019055167.tif 000003
【図２】
2019055167.tif 000004
【図３】
2019055167.tif 000005
【図４】
2019055167.tif 000006
【図５】
2019055167.tif 000007